(57)【要約】【課題】筐体の内部にアンテナエレメントと、アンテナエレメントと接続する給電端子を有する回路基板とを備えた携帯端末において、アンテナエレメントと給電端子との接続性を向上できると共に、筐体の薄型化を実現することが容易な携帯端末を提供すること。【解決手段】本発明の携帯端末は、筐体と、アンテナエレメント６０と、筐体の内部に配置され、アンテナエレメント６０と高周波的に接続する給電端子７３を有する回路基板７０と、アンテナエレメント６０及び回路基板７０のいずれか一方に形成された磁石と、アンテナエレメント６０及び回路基板７０のいずれか他方に形成された磁性体材料からなる磁性体部材と、を備え、アンテナエレメント６０と給電端子７３とは、前記磁石と前記磁性体部材との間において発生する磁力により高周波的に接続可能な位置まで接近可能に構成されている。【選択図】図４
2010130262.tif 000002
【特許請求の範囲】
【請求項１】
筐体と、
アンテナエレメントと、
筐体の内部に配置され、前記アンテナエレメントと高周波的に接続する給電端子を有する回路基板と、
前記アンテナエレメント及び前記回路基板のいずれか一方に形成された磁石と、
前記アンテナエレメント及び前記回路基板のいずれか他方に形成された磁性体材料からなる磁性体部材と、を備え、
前記アンテナエレメントと前記給電端子とは、前記磁石と前記磁性体部材との間において発生する磁力により高周波的に接続可能な位置まで接近可能に構成されている携帯端末。
【請求項２】
前記アンテナエレメントの全体が前記磁石から形成され、
前記磁力は、前記磁石により発生する請求項１に記載の携帯端末。
【請求項３】
前記アンテナエレメントの一部が前記磁石から形成され、
前記磁力は、前記回路基板を前記回路基板の厚み方向に視た場合に前記アンテナエレメントの前記磁石が前記給電端子と重なる位置に位置することにより発生する請求項１に記載の携帯端末。
【請求項４】
前記筐体に重なる状態を形成可能に前記筐体に連結部を介して連結され、内部に磁性体材料からなる第２磁性体部材が配置される第２筐体を備え、
前記第２磁性体部材は、前記第２筐体を前記筐体に重ねた状態で前記筐体と前記第２筐体とが重なる方向に視た場合に、少なくとも前記磁石の一部と重なる位置に位置する請求項１から３のいずれかに記載の携帯端末。
【請求項５】
前記磁石は、前記筐体における前記連結部とは反対側の端部の近傍に配置され、
前記第２磁性体部材は、前記第２筐体における前記連結部とは反対側の端部の近傍に配置される請求項４に記載の携帯端末。
【請求項６】
開閉状態を形成可能に前記筐体に連結される第２筐体を備え、
前記第２筐体の内部に配置され、前記磁力を利用して前記筐体と前記第２筐体との前記開閉状態を検出する開閉センサを備え、
前記開閉センサは、前記第２筐体を前記筐体に重ねた状態で前記筐体と前記第２筐体とが重なる方向に視た場合に、少なくとも前記磁石の一部と重なる位置に位置する請求項１から５のいずれかに記載の携帯端末。
【発明の詳細な説明】
【技術分野】
【０００１】
本発明は、携帯電話機などの携帯端末に関する。
【背景技術】
【０００２】
従来より、携帯電話機などの携帯端末においては、通信機能を実現するために、筐体の内部に、アンテナ部の金属部分であるアンテナエレメントと、アンテナエレメントと接続して給電を行う給電端子を有する回路基板とを備えていることが多い（例えば、下記特許文献１参照）。このような構成を有する携帯端末においては、携帯端末に衝撃や振動などが加わった際におけるアンテナエレメントと給電端子との接続性を確保するために、アンテナエレメントと給電端子との間に伸縮自在なピン部材やバネ部材を介在させることがある。
【０００３】
【特許文献１】特開２００８−２４４８７９号公報
【発明の開示】
【発明が解決しようとする課題】
【０００４】
しかし、前述の構成を採用すれば、アンテナエレメントと給電端子との接続性をある程度確保することができるが、十分とは言えず、アンテナエレメントと給電端子との接続性の更なる向上が望まれている。また、ピン部材やバネ部材を用いた構成では、ピン部材やバネ部材の存在により筐体の薄型化が困難である。
【０００５】
従って、本発明は、筐体の内部にアンテナエレメントと、アンテナエレメントと接続する給電端子を有する回路基板とを備えた携帯端末において、アンテナエレメントと給電端子との接続性を向上できると共に、筐体の薄型化を実現することが容易な携帯端末を提供することを目的とする。
【課題を解決するための手段】
【０００６】
本発明は、筐体と、アンテナエレメントと、筐体の内部に配置され、前記アンテナエレメントと高周波的に接続する給電端子を有する回路基板と、前記アンテナエレメント及び前記回路基板のいずれか一方に形成された磁石と、前記アンテナエレメント及び前記回路基板のいずれか他方に形成された磁性体材料からなる磁性体部材と、を備え、前記アンテナエレメントと前記給電端子とは、前記磁石と前記磁性体部材との間において発生する磁力により高周波的に接続可能な位置まで接近可能に構成されている携帯端末に関する。
【０００７】
また、前記アンテナエレメントの全体が前記磁石から形成され、前記磁力は、前記磁石により発生することが好ましい。
【０００８】
また、前記アンテナエレメントの一部が前記磁石から形成され、前記磁力は、前記回路基板を前記回路基板の厚み方向に視た場合に前記アンテナエレメントの前記磁石が前記給電端子と重なる位置に位置することにより発生することが好ましい。
【０００９】
また、前記筐体に重なる状態を形成可能に前記筐体に連結部を介して連結され、内部に磁性体材料からなる第２磁性体部材が配置される第２筐体を備え、前記第２磁性体部材は、前記第２筐体を前記筐体に重ねた状態で前記筐体と前記第２筐体とが重なる方向に視た場合に、少なくとも前記磁石の一部と重なる位置に位置することが好ましい。
【００１０】
また、前記磁石は、前記筐体における前記連結部とは反対側の端部の近傍に配置され、前記第２磁性体部材は、前記第２筐体における前記連結部とは反対側の端部の近傍に配置されることが好ましい。
【００１１】
また、開閉状態を形成可能に前記筐体に連結される第２筐体を備え、前記第２筐体の内部に配置され、前記磁力を利用して前記筐体と前記第２筐体との前記開閉状態を検出する開閉センサを備え、前記開閉センサは、前記第２筐体を前記筐体に重ねた状態で前記筐体と前記第２筐体とが重なる方向に視た場合に、少なくとも前記磁石の一部と重なる位置に位置することが好ましい。
【発明の効果】
【００１２】
本発明によれば、筐体の内部にアンテナエレメントと、アンテナエレメントと接続する給電端子を有する回路基板とを備えた携帯端末において、アンテナエレメントと給電端子との接続性を向上できると共に、筐体の薄型化を実現することが容易な携帯端末を提供することができる。
【発明を実施するための最良の形態】
【００１３】
以下、図面を参照して本発明を実施するための最良の形態を説明する。
図１により、本発明の携帯端末に係る第１実施形態の携帯電話機１における基本構造を説明する。図１は、本発明の第１実施形態の携帯電話機１を開いた状態を示す外観斜視図である。
【００１４】
図１に示すように、第１実施形態の携帯電話機１は、筐体としての操作部側筐体２と、第２筐体としての表示部側筐体３とを備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことで開閉状態を形成可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態をいい、開状態とは、両筐体が互いに重ならないように配置された状態をいう。
【００１５】
操作部側筐体２は、その外面がフロントケース２ａとリアケース２ｂとにより構成される。操作部側筐体２は、フロントケース２ａ側に、操作キー群１１と、携帯電話機１の使用者が通話時に発した音声が入力されるマイクとしての音声入力部１２とが、それぞれ露出するように構成される。
【００１６】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００１７】
音声入力部１２は、操作部側筐体２の長手方向における連結部４側とは反対の外端部（下端部）側に配置される。つまり、音声入力部１２は、携帯電話機１が開状態において一方の外端部側に配置される。
【００１８】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００１９】
表示部側筐体３は、その外面がフロントケース３ａとリアケース３ｂとにより構成される。表示部側筐体３におけるフロントケース３ａには、各種情報を表示するための表示部２１と、通話の相手側の音声を出力するレシーバとしての音声出力部２２とが、それぞれ露出して配置される。ここで、表示部２１は、液晶パネル、この液晶パネルを駆動する駆動回路、この液晶パネルの背面側から光を照射するバックライト等の光源部などから構成される。
【００２０】
次いで、図２から図４により、第１実施形態における操作部側筐体２及び表示部側筐体３の内部構造について説明する。図２は、第１実施形態の携帯電話機１を開いた状態における内部を模式的に示す正面図である。図３は、第１実施形態の携帯電話機１を閉じた状態における内部を示す側面図である。図４は、第１実施形態における操作部側筐体２の回路基板７０及びアンテナエレメント６０を模式的に示す図で、（Ａ）は操作部側筐体２の正面側から視た図、（Ｂ）は（Ａ）に示すＡ−Ａ線断面図である。
【００２１】
なお、図２及び図３においては、仮想的に、操作部側筐体２の内部の構成部材について、回路基板７０、アンテナエレメント６０などのみを示すと共に、表示部側筐体３の内部の構成部材について、プリント基板３５、第２磁性体部材３６などのみを示している。図４においては、回路基板７０、アンテナエレメント６０などのみを示している。
【００２２】
図２から図４に示すように、操作部側筐体２は、その内部に、詳細にはフロントケース２ａとリアケース２ｂとの間に、図２に示すように、回路基板７０、シールドケース（図示せず）、アンテナエレメント６０を備えている。
回路基板７０は、その第１面７０ａ側（フロントケース２ａ側）に、携帯電話機用のＲＦ（Ｒａｄｉｏ  Ｆｒｅｑｕｅｎｃｙ）モジュール等の各種電子部品７１と、基準電位パターン層７５と、メインアンテナ部のアンテナエレメント６０（詳細は後述）に給電を行う給電端子７３とを、備えている。
【００２３】
回路基板７０には、メインアンテナ部やサブアンテナ部が送受信する信号を処理する信号処理部を含む各種電子部品７１や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００２４】
シールドケースは、外部からの高周波等のノイズが回路基板７０に配置される各種電子部品７１に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。
【００２５】
基準電位パターン層７５は、シールドケースのリブに当接し、電気的に接続される。基準電位パターン層７５は、上述の各回路ブロックを区画するように形成される（図２及び図４においては、基準電位パターン層７５のパターンを簡略化して示している。）。基準電位パターン層７５は、回路基板７０の第１面７０ａの表面に導電性の部材を所定パターンで印刷することで形成される。
【００２６】
給電端子７３は、アンテナエレメント６０と高周波的に接続して、アンテナエレメント６０に給電を行うための端子である。ここでいう「高周波的に接続」には、給電端子７３とアンテナエレメント６０とが容量結合により高周波的に接続した場合のみならず、給電端子７３とアンテナエレメント６０とが当接することにより機械的に（電気的に）接続している場合も含む。
また、給電端子７３は、回路基板７０の内部を通じて、ＲＦ回路に電気的に接続している。
【００２７】
メインアンテナ部は、合成樹脂からなる基台（図示せず）及びアンテナエレメント６０を主体として構成される。アンテナエレメント６０は、操作部側筐体２における連結部４とは反対側の端部（下端部）の近傍に配置される。アンテナエレメント６０は、その全体が板状の磁石から形成され、その厚み方向に視た場合に、Ｌ字形状を有している。Ｌ字形状のアンテナエレメント６０は、操作部側筐体２の長手方向（図４（Ａ）における上下方向）に延びる（以下この部分を「第１片６１」ともいう）と共に、操作部側筐体２の幅方向（図４（Ａ）における左右方向）に延びており（以下この部分を「第２片６５」ともいう）、全体としてＬ字形状を有している。
【００２８】
回路基板７０とアンテナエレメント６０とは、それらの厚み方向を一致させて、それらの厚み方向に視た場合に重なるように配置している。詳述すると、回路基板７０及びアンテナエレメント６０それぞれの厚み方向に視た場合に、回路基板７０の給電端子７３とアンテナエレメント６０の第１片６１の大部分とは、重なるように配置している。回路基板７０の給電端子７３とアンテナエレメント６０の第１片６１とは当接していない（機械的に接触していない）が、高周波的に接続するようになっている。
アンテナエレメント６０の第２片６５は、回路基板７０とは重なっておらず、回路基板７０よりも外側に配置している。
【００２９】
アンテナエレメント６０と給電端子７３とは磁力により高周波的に接続可能な位置まで接近可能に構成されている。アンテナエレメント６０が磁石から形成され、給電端子７３自体やその周辺に鉄などの磁性体材料からなる磁性体部材が存在しているため、アンテナエレメント６０の磁石と当該磁性体部材との間において磁力が発生し、この磁力により給電端子７３がアンテナエレメント６０に接近する。
【００３０】
「高周波的に接続可能な位置まで接近可能」な態様としては、例えば、第１の態様として、通常状態（特に衝撃や振動が加わっていない状態）でも、アンテナエレメント６０と給電端子７３とが高周波的に接続可能な位置に配置されているが、携帯電話機１に衝撃や振動が加わること等によりアンテナエレメント６０と給電端子７３とが離れたときや離れそうになったときに高周波的に接続可能な位置に復帰する態様が挙げられる。
【００３１】
第２の態様として、仮に、アンテナエレメント６０に磁力が発生しないとした場合には、アンテナエレメント６０と給電端子７３とは高周波的に接続できない位置に配置するが、アンテナエレメント６０の磁石により発生した磁力によって、通常状態において、アンテナエレメント６０と給電端子７３とが高周波的に接続可能な位置に配置される態様が挙げられる。
【００３２】
表示部側筐体３は、操作部側筐体２に重なる状態を形成可能に操作部側筐体２に連結部４を介して連結されている。表示部側筐体３は、その内部に、詳細にはフロントケース３ａとリアケース３ｂとの間に、表示部２１が接続されたプリント基板３５、磁性体材料からなる第２磁性体部材３６などを備えている。プリント基板３５には、不図示のアンプと接続されるスピーカが接続される。第２磁性体部材３６は、鉄などの各種磁性体材料から形成される。第２磁性体部材３６は、表示部側筐体３における連結部４とは反対側の端部（上端部）の近傍に配置される。
【００３３】
第２磁性体部材３６は、表示部側筐体３を操作部側筐体２に重ねた状態で操作部側筐体２と表示部側筐体３とが重なる方向（図３における上下方向）に視た場合に、少なくともアンテナエレメント６０の一部（すなわち磁石の一部）と重なる位置に位置する。
【００３４】
以上の構成を有する第１実施形態によれば、例えば以下の効果が奏される。
第１実施形態においては、アンテナエレメント６０と給電端子７３とは磁力により高周波的に接続可能な位置まで接近可能に構成されている。そのため、磁力により、アンテナエレメント６０と給電端子７３との間に両者が高周波的に接続可能な位置まで接近する方向の吸引力が生じる。従って、携帯電話機１に衝撃や振動などが加わった場合でも、アンテナエレメント６０と給電端子７３との接続性を向上させることができる。
また、アンテナエレメント６０と給電端子７３との間に、両者を接続するための伸縮自在なピン部材やバネ部材を介在させること必要がないため、操作部側筐体２の薄型化を容易に実現することができる。
【００３５】
また、表示部側筐体３は、操作部側筐体２に重なる状態を形成可能に操作部側筐体２に連結部４を介して連結され、表示部側筐体３の内部に磁性体材料からなる第２磁性体部材３６が配置される。また、第２磁性体部材３６は、表示部側筐体３を操作部側筐体２に重ねた状態で操作部側筐体２と表示部側筐体３とが重なる方向に視た場合に、少なくともアンテナエレメント６０の一部（すなわち磁石の一部）と重なる位置に位置する。
【００３６】
そのため、操作部側筐体２と表示部側筐体３とを折り畳んだ状態において、連結部４の構成部品の製造不良やガタなどにより、操作部側筐体２と表示部側筐体３との重ね合わせにズレやガタ（特に、両筐体２，３が離れる方向のズレやガタ）が生じそうになった場合などにおいて、磁力により操作部側筐体２と表示部側筐体３との間に吸引力は生じさせることにより、操作部側筐体２と表示部側筐体３との重ね合わせ状態を改善することができる。
【００３７】
特に、第１実施形態においては、アンテナエレメント６０は、操作部側筐体２における連結部４とは反対側の端部の近傍に配置され、第２磁性体部材３６は、表示部側筐体３における連結部４とは反対側の端部の近傍に配置されている。そのため、前述の操作部側筐体２と表示部側筐体３との重ね合わせ状態を改善する効果が高い。
【００３８】
次に、本発明の他の実施形態について説明する。他の実施形態については、主として、第１実施形態とは異なる点を説明し、第１実施形態と同様の構成について同じ符号を付し、説明を省略する。他の実施形態について特に説明しない点については、第１実施形態についての説明が適宜適用される。他の実施形態においても、第１実施形態と同様の効果が奏される。
【００３９】
第２実施形態の携帯電話機１Ａは、第１実施形態に比して、アンテナエレメント６０Ａの全体が磁石から形成されておらず、アンテナエレメント６０Ａの一部のみが磁石から形成されている点が主として異なる。図５により、第２実施形態における操作部側筐体２の内部構造について説明する。図５は、第２実施形態の携帯電話機１Ａにおける操作部側筐体２の回路基板７０及びアンテナエレメント６０Ａを模式的に示す図（図４相当図）で、（Ａ）は操作部側筐体２の正面側から視た図、（Ｂ）は（Ａ）に示すＢ−Ｂ線断面図である。
【００４０】
第２実施形態においては、アンテナエレメント６０Ａの一部が磁石から形成されている。詳細には、図５に示すように、アンテナエレメント６０Ａの第１片６１の上面側（回路基板７０とは反対側）が、磁石６２から形成されている。アンテナエレメント６０Ａにおける磁石６２以外の部分は、例えば、各種金属の板金部材から形成される。磁石６２は、回路基板７０を回路基板７０の厚み方向（図５（Ｂ）における上下方向）に視た場合に、給電端子７３と重なる位置に位置する。換言すると、アンテナエレメント６０Ａの磁石６２による磁力は、回路基板７０を回路基板７０の厚み方向に視た場合に、磁石６２が給電端子７３と重なる位置に位置することにより発生する。
【００４１】
第２磁性体部材３６は、表示部側筐体３を操作部側筐体２に重ねた状態で操作部側筐体２と表示部側筐体３とが重なる方向（図３における上下方向）に視た場合に、少なくともアンテナエレメント６０Ａの磁石６２と重なる位置に位置する（この状態について図示せず）。なお、第２磁性体部材３６は、アンテナエレメント６０のアンテナ特性に影響を与えにくい位置に配置することが好ましい。
【００４２】
第２実施形態によれば、第１実施形態と同様の効果が奏される他、以下の効果が奏される。具体的には、第２実施形態においては、アンテナエレメント６０Ａは、給電端子７３と高周波的に接続する磁石６２以外の部分を、一般的なアンテナエレメントと同様に、各種金属の板金部材から形成することができるので、一般的なアンテナエレメントと同様なアンテナ特性、コスト性を得ることができる。
【００４３】
次に、第３実施形態について図面を参照しながら説明する。第３実施形態の携帯電話機１Ｂは、第１実施形態に比して、表示部側筐体３の内部に、操作部側筐体２と表示部側筐体３との開閉状態を検出する開閉センサ３７を備える点が主として異なる。図６及び図７により、第３実施形態における操作部側筐体２の内部構造について説明する。
【００４４】
図６は、第３実施形態の携帯電話機１Ｂを開いた状態における内部を模式的に示す正面図（図２対応図）である。図７は、第３実施形態の携帯電話機１Ｂを閉じた状態における内部を示す側面図（図３対応図）である。なお、図６及び図７においては、仮想的に、操作部側筐体２の内部の構成部材について、回路基板７０、アンテナエレメント６０などのみを示すと共に、表示部側筐体３の内部の構成部材について、プリント基板３５、開閉センサ３７などのみを示している。
【００４５】
開閉センサ３７は、表示部側筐体３の内部に配置されており、アンテナエレメント６０の磁石から発生する磁力を利用して操作部側筐体２と表示部側筐体３との開閉状態を検出するセンサである。例えば、開閉センサ３７は、表示部側筐体３を操作部側筐体２に重ねた状態で操作部側筐体２と表示部側筐体３とが重なる方向（図７における上下方向）に視た場合に、少なくともアンテナエレメント６０の一部（すなわち磁石の一部）と重なる位置に位置する。
【００４６】
第３実施形態によれば、第１実施形態と同様の効果が奏される他、以下の効果が奏される。具体的には、第３実施形態においては、表示部側筐体３の内部に配置され、アンテナエレメント６０の磁石から発生する磁力を利用して操作部側筐体２と表示部側筐体３との開閉状態を検出する開閉センサ３７を備え、開閉センサ３７は、表示部側筐体３を操作部側筐体２に重ねた状態で操作部側筐体２と表示部側筐体３とが重なる方向に視た場合に、少なくともアンテナエレメント６０の一部（すなわち磁石の一部）と重なる位置に位置する。そのため、開閉センサ３７と対となる磁石を操作部側筐体２に別途設けなくても、開閉センサ３７による操作部側筐体２と表示部側筐体３との開閉検出を行うことができ、部品点数の削減を図ることができる。
【００４７】
以上、好適な実施形態について説明したが、本発明は上述した実施形態に限定されることなく種々の形態で実施することができる。
例えば、アンテナエレメント（アンテナ部）の用途、形状などに、特に制限はない。
【００４８】
第１実施形態における第２磁性体部材３６と第３実施形態における開閉センサ３７とを組み合わせた構成を採用することができる。
また、更に、第２磁性体部材３６及び／又は開閉センサ３７と、第２実施形態における一部が磁石６２から形成されるアンテナエレメント６０Ａとを組み合わせた構成を採用することができる。その場合、表示部側筐体３を操作部側筐体２に重ねた状態で操作部側筐体２と表示部側筐体３とが重なる方向に視た場合に、第２磁性体部材３６及び／又は開閉センサ３７は、少なくともアンテナエレメント６０の磁石６２と重なる位置に位置することが好ましい。
【００４９】
前述の実施形態においては、アンテナエレメント６０の全部又は一部を磁石から形成することにより、「アンテナエレメント６０と給電端子７３とは磁力により高周波的に接続可能な位置まで接近可能」な構成を実現しているが、かかる構成は、この構成に制限されない。
【００５０】
例えば、アンテナエレメント６０を磁石から形成せずに、その代わりに、給電端子７３の近傍に磁石を配置することにより、かかる構成を実現することができる。また、磁石は、アンテナエレメント６０，６０Ａ及び回路基板７０のいずれか一方に形成されていればよく、磁性体材料からなる磁性体部材は、アンテナエレメント６０，６０Ａ及び回路基板７０のいずれか他方に形成されていればよい。
【００５１】
アンテナエレメント６０は、前述の実施形態においては、操作部側筐体２における連結部４とは反対側の端部（下端部）の近傍に配置されているが、これに制限されず、操作部側筐体２における連結部４側の端部などの各部に配置されていてもよい。また、アンテナエレメント６０は、表示部側筐体３における各部に配置されていてもよい。
【００５２】
また、前述の実施形態は、連結部４により折り畳み可能な携帯電話機１であるが、本発明の携帯端末は、これに制限されず、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一体的に形成され連結部を有さない型式（ストレートタイプ）でもよい。
【００５３】
前述の実施形態は、本発明の携帯端末を携帯電話機に適用しているが、本発明は、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等に適用することができる。
【図面の簡単な説明】
【００５４】
【図１】本発明の第１実施形態の携帯電話機１を開いた状態を示す外観斜視図である。
【図２】第１実施形態の携帯電話機１を開いた状態における内部を模式的に示す正面図である。
【図３】第１実施形態の携帯電話機１を閉じた状態における内部を示す側面図である。
【図４】第１実施形態における操作部側筐体２の回路基板７０及びアンテナエレメント６０を模式的に示す図で、（Ａ）は操作部側筐体２の正面側から視た図、（Ｂ）は（Ａ）に示すＡ−Ａ線断面図である。
【図５】第２実施形態の携帯電話機１Ａにおける操作部側筐体２の回路基板７０及びアンテナエレメント６０Ａを模式的に示す図（図４相当図）で、（Ａ）は操作部側筐体２の正面側から視た図、（Ｂ）は（Ａ）に示すＡ−Ａ線断面図である。
【図６】第３実施形態の携帯電話機１Ｂを開いた状態における内部を模式的に示す正面図（図２対応図）である。
【図７】第３実施形態の携帯電話機１Ｂを閉じた状態における内部を示す側面図（図３対応図）である。
【符号の説明】
【００５５】
１、１Ａ、１Ｂ  携帯電話機（携帯端末）
２  操作部側筐体（筐体）
３  表示部側筐体（第２筐体）
４  連結部
３６  第２磁性体部材
３７  開閉センサ
６０  アンテナエレメント（磁石）
６０Ａ  アンテナエレメント
６２  磁石
７０  回路基板
７３  給電端子
【図１】
2010130262.tif 000003
【図２】
2010130262.tif 000004
【図３】
2010130262.tif 000005
【図４】
2010130262.tif 000006
【図５】
2010130262.tif 000007
【図６】
2010130262.tif 000008
【図７】
2010130262.tif 000009